(57)【特許請求の範囲】
【請求項１】
複数の発光器の組み合わせを選択する方法であって、
多軸色空間内の複数の発光器グループの領域および複数の光度レンジに対応する複数の収納部に、前記複数の発光器をグループ分けするステップであって、前記複数の発光器グループの領域の各々は、前記複数の発光器グループの領域のうちの他の領域の色度と異なる色度のレンジを定め、前記複数の収納部の各々は、前記複数の光度レンジのうちの１つと前記複数の発光器グループの領域のうちの１つとの異なる組み合わせに対応する、前記グループ分けするステップと、
前記複数の発光器グループの領域の各々内の中心ポイントに対応する複数の色度を決定するステップであって、前記複数の色度の各々は、多軸色空間に対応する複数の色度成分値を含む、前記決定するステップと、
前記多軸色空間内の所望するカラー領域を定めるステップと、
Ｎ個の収納部の複数の組み合わせの各々に対する組み合わせの中心ポイントに対応する組み合わされた色度を推定するステップであって、Ｎは、前記組み合わせの中心ポイントの各々を推定するように組み合わされる前記複数の収納部の数を定める、前記推定するステップと、
前記Ｎ個の収納部の複数の組み合わせの各々に対する前記組み合わせの中心ポイントに対応する組み合わされた光度を推定するステップと、
前記複数の組み合わせの中心ポイントの各々の前記組み合わされた色度と前記所望するカラー領域とを比較するステップと、
前記複数の組み合わせの中心ポイントの各々の前記組み合わされた色度と前記所望するカラー領域との比較に応答し、前記複数の発光器の組み合わせを選択するステップとを備える、複数の発光器の組み合わせを選択する方法。
【請求項２】
前記複数の組み合わせの中心ポイントの各々の前記組み合わされた光度と指定された光度レンジとを比較するステップと、
前記複数の組み合わせの中心ポイントの各々の前記組み合わされた光度の比較に応答し、前記複数の発光器の組み合わせを選択するステップとを更に含む、請求項１に記載の方法。
【請求項３】
前記指定された光度レンジ内にない前記複数の組み合わせの中心ポイントの一致しない部分を配置するステップを更に含む、請求項２に記載の方法。
【請求項４】
前記所望するカラー領域内にない前記複数の組み合わせの中心ポイントの一致しない部分を廃棄するステップを更に含む、請求項１に記載の方法。
【請求項５】
Ｎは、２を含み、前記複数の組み合わせの中心ポイントの各々に対応する組み合わされた色度および光度を推定する前記ステップは、２つの発光器の発光器グループの領域の組み合わせに対する前記組み合わされた色度および光度を推定することを含む、請求項１に記載の方法。
【請求項６】
前記所望するカラー領域内のターゲットとする色度ポイントと実質的に異なる中心ポイントの色度を含む、前記複数の収納部の部分を識別するステップと、
前記複数の収納部のうちの他の収納部に対する高い整合優先度で前記複数の収納部の前記識別された部分のランクを決定するステップとを更に含む、請求項１に記載の方法。
【請求項７】
前記複数の収納部の対応する収納部に応じて、前記複数の組み合わせの中心ポイントの各々の優先度を決定するステップを更に含む、請求項１に記載の方法。
【請求項８】
前記優先度を決定するステップは、前記組み合わせの中心ポイント内に含まれる収納部の中心ポイントとターゲットとする色度ポイントとの間の差に対応する、前記複数の組み合わせの中心ポイントのランクを決定することを含む、請求項７に記載の方法。
【請求項９】
前記複数の組み合わせの中心ポイントのそれぞれ１つと、ターゲットとする色度ポイントとの間の差に対応する前記複数の組み合わせの中心ポイントの各々の優先度を決定するステップを更に含む、請求項１に記載の方法。
【請求項１０】
前記複数の発光器を含む発光器のストックに基づくストックの色度の中心ポイントとして、前記ターゲットとする色度ポイントを推定するステップを更に含む、請求項９に記載の方法。
【請求項１１】
前記ターゲットとする色度ポイントを推定する前記ステップは、前記発光器のストック内の発光器の集合色度および光度に対応するストックの色度の中心ポイントを推定することを含む、請求項１０に記載の方法。
【請求項１２】
前記複数の組み合わせの中心ポイントの優先度を決定するステップは、前記多軸色空間内の前記ターゲットとする色度ポイントまでの距離に対応する前記複数の組み合わせの中心ポイントの１つずつのランクを決定することを更に含む、請求項９に記載の方法。
【請求項１３】
前記複数の組み合わせの中心ポイントの優先度を決定する前記ステップは、前記ターゲットとする色度ポイントを中心とする複数の同心状の領域に対応する前記複数の組み合わせの中心ポイントの１つずつのランクを決定することを更に含み、前記領域は前記複数の発光器グループの領域の１つずつのアスペクト比に実質的に同様するアスペクト比を含む、請求項９に記載の方法。
【請求項１４】
前記複数の組み合わせの中心ポイントの優先度を決定する前記ステップは、前記ターゲットとする色度ポイントを中心とする複数の同心状の領域に対応する前記複数の組み合わせの中心ポイントの１つずつのランクを決定することを更に含み、前記領域は、発光器のストック収納部のデータの分布データに対応する、境界が定められた領域のアスペクト比に実質的に同様するアスペクト比を含む、請求項９に記載の方法。
【請求項１５】
前記複数の収納部の、他の収納部に対する前記複数の収納部の各々において、発光器を組み合わせる困難度に対応する、前記複数の収納部の優先度を決定するステップを更に含む、請求項１に記載の方法。
【請求項１６】
前記複数の収納部の各々において、発光器を組み合わせる困難度は、前記複数の収納部に対する前記複数の発光器の分布データに対応する、請求項１５に記載の方法。
【請求項１７】
前記多軸色空間は、順序が定められたペアｘ、ｙとして色度を表記し、Ｙとして光度を表記する、国際照明委員会（ＣＩＥ１９３１）の色空間を含み、
第１発光器グループの領域の中心ポイントをｘ１、ｙ１およびＹ１で示し、第２発光器グループの領域の中心ポイントをｘ２、ｙ２およびＹ２で示し、
組み合わせの中心ポイントをｘ、ｙおよびＹで表記し、
ｘおよびｙは、ｘ１、ｙ１、Ｙ１、ｘ２、ｙ２およびＹ２の各関数であり、
Ｙは、Ｙ１およびＹ２の関数である、請求項１に記載の方法。
【請求項１８】
複数の発光器の組み合わせを選択するためのコンピュータプログラムであって、このコンピュータプログラムは、コンピュータで読み取り可能なプログラムコードを備え、前記コンピュータが読み取り可能なプログラムコードは、請求項１に記載の方法を実行するようになっている、コンピュータプログラム。
【請求項１９】
複数の発光器を備え、前記複数の発光器の一部は、多軸色空間内の複数の発光器グループの領域および複数の光度レンジに対応して構成された複数の収納部の一部の組み合わされた色度に応答してグループ分けされ、
前記多軸色空間内の所望するカラー領域までの近接度によって、前記複数の収納部の優先度を決定する、デバイス。
【請求項２０】
前記複数の収納部の各々は、色度値および光度値に対応する中心ポイントを含む、請求項１９に記載のデバイス。
【請求項２１】
前記組み合わされた色度は、前記複数の収納部のうちの第１収納部に対応する第１の色度および第１の光度、並びに前記複数の収納部のうちの第２収納部に対応する第２の色度および第２の光度から推定された色度値を含む、請求項１９に記載のデバイス。
【請求項２２】
前記組み合わされた色度は、前記多軸カラー空間内の所望するカラー領域内にある色度値を含む、請求項１９に記載のデバイス。
【請求項２３】
前記複数の収納部のうちの第１の収納部に対応する第１の発光器グループの領域は、前記複数の収納部のうちの第２の収納部に対応する第２の発光器グループの領域よりも前記所望するカラー領域の近くにあり、前記第２収納部は、前記第１収納部よりも高い優先度を有する、請求項１９に記載のデバイス。
【請求項２４】
前記複数の発光器は、前記複数の収納部にグループ分けされた発光器のバッチから選択されたものであり、
前記複数の収納部の各々は、中心ポイントの色度値および中心ポイントの光度値を含む中心ポイントを備える、請求項１９に記載のデバイス。
【請求項２５】
前記組み合わされた色度は、前記複数の収納部のうちの少なくとも２つに対応する中心ポイントの色度値および中心ポイントの光度値の加色混合を含む、請求項２４に記載のデバイス。
【請求項２６】
前記組み合わされた色度は、所望するカラー領域に対応する色度値を含む、請求項２４に記載のデバイス。
【請求項２７】
前記複数の発光器は、前記複数の収納部にグループ分けされた発光器のストックから選択されたものであり、
前記複数の組み合わせの中心ポイントは、前記ターゲットとする色度ポイントを中心とする複数の実質的に同心状の領域に対応して優先度が定められ、前記領域は、発光器のストックの分布データに対応する境界が定められた領域のアスペクト比に実質的に同様するアスペクト比を有する、請求項１９に記載のデバイス。
【請求項２８】
前記複数の発光器は、前記複数の収納部にグループ分けされた発光器のストックから選択されたものであり、
前記ターゲットとする色度ポイントは、発光器の前記ストックの集合色度および光度に対応するストックの色度中心ポイントを含む、請求項１９に記載のデバイス。
【請求項２９】
多軸色空間内の複数の発光器グループの領域および複数の光度レンジに対応する複数の収納部にグループ分けされる、複数の発光器を組み合わせるための装置であって、
前記複数の収納部の推定された色度および光度の中心ポイントデータに応答して、所望するカラー領域内に組み合わされた中心ポイントデータを含む複数の収納部のうちの少なくとも２つの組み合わせのリストを生成するようになっている組み合わせモジュールと、
前記組み合わせモジュールによって生成された組み合わせのリストに応答し、前記複数の収納部に対応する優先度のリストを生成するようになっている優先度決定モジュールと、
前記優先度のリストに応答し、発光器を組み合わせるための前記複数の収納部の部分を選択するようになっている選択モジュールとを含む、複数の発光器を組み合わせるための装置。
【請求項３０】
前記優先度決定モジュールは、前記複数の収納部のうちの前記少なくとも２つの組み合わせのどちらを最初に選択するかを識別するために、前記複数の収納部の優先度を決定するようになっている、請求項２９に記載の装置。
【請求項３１】
前記所望するカラー領域は、色度ターゲットポイントを含み、
前記優先度決定モジュールは、前記色度ターゲットポイントに対する前記組み合わされた中心ポイントに基づき、前記含みの組み合わせの優先度を更に決定するようになっている、請求項２９に記載の装置。
【請求項３２】
前記色度ターゲットポイントは、発光器のストックに対応する集合値を含み、このストックから前記複数の発光器が選択される、請求項３１に記載の装置。
【請求項３３】
前記組み合わせモジュールは、少なくとも２つの収納部の組み合わせのリストと、前記所望するカラー領域とを比較し、前記所望するカラー領域外の組み合わされた中心ポイントを含む前記少なくとも２つの収納部の組み合わせを廃棄するようになっている、請求項２９に記載の装置。
【請求項３４】
多軸色空間内の複数の発光器グループの領域および複数の光度レンジに対応する複数の収納部にグループ分けされる、複数の発光器の組み合わせを選択する方法であって、
前記複数の収納部のうちの少なくとも２つからの発光器の、複数の組み合わせの優先度を決定するステップを含み、前記組み合わせの各々は、所望するカラー領域に対応する色度値および指定された光度レンジに対応する光度値を含み、
前記発光器の組み合わせの優先度を決定するステップは、前記複数の発光器を含む発光器のストックに対応する発光器のストックの色度を推定することを含む、複数の発光器の組み合わせを選択する方法。
【請求項３５】
発光器の前記組み合わせの優先度を決定するステップは、前記複数の収納部のうちの前記少なくとも２つのうちの１つの特性に基づく、請求項３４に記載の方法。
【請求項３６】
発光器の前記組み合わせの優先度を決定するステップは、前記発光器のストックの色度を実質的に中心とする複数のターゲット領域に対応する前記複数の組み合わせのランクを決定することを更に含む、請求項３４に記載の方法。
【発明の詳細な説明】
【技術分野】
【０００１】
本発明は、照明に関し、より詳細には、照明アセンブリで使用される照明コンポーネントを選択することに関する。
【背景技術】
【０００２】
多くの照明用途のためにパネル照明アセンブリが使用されている。照明パネルは、例えば一般的照明または液晶ディスプレイのためのバックライトユニット（ＢＬＵ）として使用できる。照明パネルは、蛍光管および／または発光ダイオード（ＬＥＤ）のような複数の発光器の配置を一般に使用している。複数の発光器のうちの重要な属性として、ディスプレイされる出力内のカラーの均一性および／または輝度を挙げることができる。現在のところ、発光器はそれぞれの出力および／または性能の特性に従い、テストし、グループ分けし、および／または収納部に収納できる。グループ分けは、例えば色度の値、例えば１９３１年の照明に関する国際会議における国際照明委員会によって作成されたＣＩＥ１９３１色空間で使用されるｘｙ値を使用して実行できる。このように、各発光器は、ｘ、ｙ座標によって特徴を定めることができる。同様なｘ、ｙ値を有する発光器をグループ分けするかまたは収納部に収納し、共に使用することができる。
【発明の概要】
【発明が解決しようとする課題】
【０００３】
しかしながら、特定の色度および／または光度特性を提供するために、１つの収納部または数個の収納部から発光器を選択することは、１つのバッチの発光器の使用可能な部分を減少させ得るので、その結果潜在的に非効率性、むだおよび／または高い製造コストが生じ得る。
【課題を解決するための手段】
【０００４】
本発明の一部の実施形態は、複数の発光器の組み合わせを選択する方法を提供する。これら方法の一部の実施形態は、多軸色空間内の複数の発光器グループの領域および複数の光度レンジに対応する複数の収納部に、複数の発光器をグループ分けするステップを備え、複数の発光器グループの領域の各々は、複数の発光器グループの領域のうちの他の領域の色度と異なる色度のレンジを定め、複数の収納部の各々は、複数の光度レンジのうちの１つと複数の発光器グループの領域のうちの１つとの異なる組み合わせに対応する。これら方法は、発光器グループの領域の各々内の中心ポイントに対応する複数の色度を決定するステップを含むことができ、色度の各々は、多軸色空間に対応する複数の色度成分値を含み、更に多軸色空間内の所望するカラー領域を定めるステップを含むことができる。これら方法は、Ｎ個の収納部の複数の組み合わせの各々に対する組み合わせの中心ポイントに対応する組み合わされた色度を推定するステップを含み、Ｎは、前記組み合わせの中心ポイントの各々を推定するように組み合わされる収納部の数を定め、Ｎ個の収納部の組み合わせの各々に対する組み合わせの中心ポイントに対応する組み合わされた光度を推定するステップと、組み合わせの中心ポイントの各々の組み合わされた色度と所望するカラー領域とを比較するステップとを含むことができる。これら方法は、組み合わせの中心ポイントの各々の組み合わされた色度と所望するカラー領域との比較に応答し、発光器の組み合わせを選択するステップを含むことができる。
一部の実施形態は、組み合わせの中心ポイントの各々の組み合わされた光度と指定された光度レンジとを比較するステップと、組み合わせの中心ポイントの各々の組み合わされた光度の比較に応答し、発光器の組み合わせを選択するステップとを更に含むことができる。一部の実施形態は、指定されたカラー領域内にない組み合わせの中心ポイントの一致しない部分を廃棄するステップを更に含む。
【０００５】
一部の実施形態は、所望するカラー領域内にない組み合わせの中心ポイントの一致しない部分を廃棄するステップを更に含むことができる。一部の実施形態では、Ｎは、２であり、組み合わせの中心ポイントの各々に対応する組み合わされた色度および光度を推定するステップは、２つの発光器の発光器グループの領域の組み合わせに対する組み合わされた色度および光度を推定することを含む。
【０００６】
一部の実施形態は、所望するカラー領域内のターゲットとする色度ポイントと実質的に異なる中心ポイントの色度を含む、収納部の部分を識別するステップと、収納部のうちの他の収納部に対する高い整合優先度で収納部の識別された部分のランクを決定するステップとを含む。
【０００７】
一部の実施形態は、収納部の対応する収納部に応じて、組み合わせの中心ポイントの各々の優先度を決定するステップを含む。一部の実施形態では、優先度を決定するステップは、組み合わせの中心ポイント内に含まれる収納部の中心ポイントとターゲットとする色度ポイントとの間の差に対応する、組み合わせの中心ポイントのランクを決定することを含む。
【０００８】
一部の実施形態は、組み合わせの中心ポイントのそれぞれ１つとターゲットとする色度ポイントとの間の差に対応する組み合わせの中心ポイントの各々の優先度を決定するステップを含む。一部の実施形態は、設計仕様に応じて、ターゲットとする色度ポイントを推定するステップを含むことができる。一部の実施形態は、発光器を含む発光器のストック（ｉｎｖｅｎｔｏｒｙ）に基づくストックの色度の中心ポイントとしてターゲットとする色度ポイントを推定するステップを含むことができる。一部の実施形態では、ターゲットとする色度ポイントを推定するステップは、発光器のストック内の発光器の集合色度および光度に対応するストックの色度の中心ポイントを推定することを含む。
【０００９】
ターゲットとする色度ポイントの優先度を決定するステップは、ターゲットとする色度ポイントまでの距離に対応する組み合わせの中心ポイントの１つずつのランクを決定することを更に含む。一部の実施形態では、組み合わせの中心ポイントの優先度を決定するステップは、前記ターゲットとする色度ポイントを中心とする複数の同心状の領域に対応する組み合わせの中心ポイントの１つずつのランクを決定することを含み、前記領域は発光器グループの領域の１つずつのアスペクト比に実質的に同様するアスペクト比を含む。一部の実施形態では、組み合わせの中心ポイントの優先度を決定するステップは、ターゲットとする色度ポイントを中心とする複数の同心状の領域に対応する組み合わせの中心ポイントの１つずつのランクを決定することを含み、前記領域は、発光器のストック収納部のデータの分布データに対応する、境界が定められた領域のアスペクト比に実質的に同様するアスペクト比を含む。
【００１０】
一部の実施形態は、他の収納部に対する収納部の各々において、発光器を組み合わせる困難度に対応する、収納部の優先度を決定するステップを含む。一部の実施形態では、収納部の各々において、発光器を組み合わせる困難度は、収納部に対する発光器の分布データに対応する。
【００１１】
一部の実施形態では、多軸色空間は、順序が定められたペアｘ、ｙとして色度を表記し、Ｙとして光度を表記する、国際照明委員会（ＣＩＥ１９３１）の色空間を含み、第１発光器グループの領域の中心ポイントをｘ１、ｙ１およびＹ１で示し、第２発光器グループの領域の中心ポイントをｘ２、ｙ２およびＹ２で示す。一部の実施形態では、組み合わせの中心ポイントをｘ、ｙおよびＹで表記し、ｘおよびｙは、ｘ１、ｙ１、Ｙ１、ｘ２、ｙ２およびＹ２の各関数であり、Ｙは、Ｙ１およびＹ２の関数である。
【００１２】
本発明の一部の実施形態は、複数の発光器の組み合わせを選択するためのコンピュータプログラム製品を含み、このコンピュータプログラム製品は、媒体内に具現化されたコンピュータプログラムで読み取り可能なプログラムコードを有するコンピュータが使用できる記録媒体を備え、前記コンピュータが読み取り可能なプログラムコードは、本明細書に開示の方法を実行するようになっている。
【００１３】
本発明の一部の実施形態は、複数の発光器を備えるデバイスを提供し、複数の発光器の一部は、多軸色空間内の複数の発光器グループの領域および複数の光度レンジに対応して構成された複数の収納部の一部の組み合わされた色度に応答してグループ分けされる。一部の実施形態では、組み合わされた色度は、複数の収納部のうちの第１収納部に対応する第１の色度および第１の光度、並びに前記複数の収納部のうちの第２収納部に対応する第２の色度および第２の光度から推定された色度値を含む。一部の実施形態では、組み合わされた色度は、多軸カラー空間内の所望するカラー領域内にある色度値を含む。
【００１４】
一部の実施形態では、多軸色空間内の所望するカラー領域までの近接度によって、収納部の優先度を決定する。一部の実施形態では、第１の収納部に対応する第１の発光器グループの領域は、第２の収納部に対応する第２の発光器グループの領域よりも前記所望するカラー領域の近くにあり、第２収納部は、第１収納部よりも高い優先度を有する。
【００１５】
一部の実施形態では、発光器は、収納部にグループ分けされた発光器のバッチから選択されたものであり、収納部の各々は、中心ポイントの色度値および中心ポイントの光度値を含む中心ポイントを備える。一部の実施形態では、組み合わされた色度は、収納部のうちの少なくとも２つに対応する中心ポイントの色度値および中心ポイントの光度値の加色混合を含む。一部の実施形態では、組み合わされた色度は、所望するカラー領域に対応する色度値を含む。
【００１６】
一部の実施形態では、収納部のうちの少なくとも２つに対応する組み合わせの中心ポイントは、所望するカラー領域内のターゲットとする色度ポイントに基づいて優先度が定められる。一部の実施形態では、発光器は、収納部にグループ分けされた発光器のストックから選択されたものであり、組み合わせの中心ポイントは、ターゲットとする色度ポイントを中心とする複数の実質的に同心状の領域に対応して優先度が定められ、前記領域は、発光器のストックの分布データに対応する境界が定められた領域のアスペクト比に実質的に同様するアスペクト比を有する。一部の実施形態では、発光器は、収納部にグループ分けされた発光器のストックから選択されたものであり、ターゲットとする色度ポイントは、発光器の前記ストックの集合色度および光度に対応するストックの色度中心ポイントを含む。
【００１７】
本発明の一部の実施形態は、多軸色空間内の複数の発光器グループの領域および複数の光度レンジに対応する複数収納部にグループ分けされる、複数の発光器を組み合わせるための装置を含む。かかる装置は、所望するカラー領域内に組み合わされた中心ポイントデータを含む複数の収納部のうちの少なくとも２つの組み合わせのリストを生成するようになっている組み合わせモジュールを含むことができる。この装置は、収納部に対応する優先度のリストを生成するようになっている優先度決定モジュールと、発光器を組み合わせるための収納部の部分を選択するようになっている選択モジュールとを含むことができる。
【００１８】
一部の実施形態では、優先度決定モジュールは、収納部のうちの前記少なくとも２つの組み合わせのどちらを最初に選択するかを識別するために、複数の収納部の優先度を決定するようになっている。一部の実施形態では、所望するカラー領域は、色度ターゲットポイントを含み、優先度決定モジュールは、色度ターゲットポイントに対する組み合わされた中心ポイントに基づき、複数の組み合わせの優先度を更に決定するようになっている。一部の実施形態では、色度ターゲットポイントは、発光器のストックに対応する集合値を含み、このストックから前記複数の発光器が選択される。
【００１９】
一部の実施形態では、組み合わせモジュールは、少なくとも２つの収納部の組み合わせのリストと前記所望するカラー領域とを比較し、所望するカラー領域外の組み合わされた中心ポイントを含む少なくとも２つの収納部の組み合わせを廃棄するようになっている。
【００２０】
本発明の一部の実施形態は、多軸色空間内の複数の発光器グループの領域および複数の光度レンジに対応する複数収納部にグループ分けされる、複数の発光器の組み合わせを選択する方法を含む。かかる方法は、収納部のうちの少なくとも２つからの発光器の、複数の組み合わせの優先度を決定するステップを含み、組み合わせの各々は、所望するカラー領域に対応する色度値および指定された光度レンジに対応する光度値を含む。
【００２１】
一部の実施形態では、発光器の組み合わせの優先度を決定するステップは、複数の収納部のうちの少なくとも２つのうちの１つの特性に基づく。一部の実施形態では、発光器の組み合わせの優先度を決定するステップは、複数の発光器を含む発光器のストックに対応する発光器のストックの色度を推定することを含む。一部の実施形態では、発光器の組み合わせの優先度を決定するステップは、発光器のストックの色度を実質的に中心とする複数のターゲット領域に対応する複数の組み合わせのランクを決定することを更に含む。
【００２２】
本発明を更に理解できるように記載され、本願で援用され、本願の一部をなす添付図面は、本発明の所定の実施形態を示す。
【図面の簡単な説明】
【００２３】
【図１】本発明の一部の実施形態に従ってグループ分けされる複数の発光器を含むデバイスを示す、正面切り欠き略図である。
【図２】本発明の一部の実施形態に係わる、図１に示された照明アセンブリを示す略図である。
【図３】本発明の一部の実施形態に係わる、同様の色度座標を有する発光器の複数のグループに対応する複数の領域を示す色空間の色度図である。
【図４】本発明の一部の実施形態に係わる、光度の収納部の値を示す表である。
【図５】本発明の一部の実施形態に係わる、複数の発光器グループの領域および所望するカラー領域を示す色空間の色度図である。
【図６】本発明の一部の実施形態に係わる、ストックの中心ポイントを使用する組み合わせの優先度決定法を示す色空間の色度図である。
【図７】本発明の一部の実施形態に係わる、ストックの中心ポイントを使用する組み合わせの優先度決定法を示す色空間の色度図である。
【図８】本発明の一部の実施形態に係わる、ストックの中心ポイントを使用する組み合わせの優先度決定法を示す色空間の色度図である。
【図９】多軸色空間内の複数の発光器グループの領域および複数の光度レンジに対応する収納部にグループ分けされる発光器の組み合わせを選択するための作動を示すブロック図である。
【図１０】本発明の一部の実施形態に従い、図９に示されるような組み合わせの優先度を決定するための作動を示すブロック図である。
【図１１】本発明の一部の実施形態に従い、複数の発光器の組み合わせを選択するための作動を示すブロック図である。
【図１２】本発明の一部の実施形態に係わる収納部を使用する優先度を示す表である。
【図１３】本発明の一部の実施形態に係わる組み合わせの優先度を示す表である。
【図１４】本発明の一部の実施形態に従い、多軸色空間内の発光器グループ領域および光度レンジに従ってグループ分けされる発光器を組み合わせるための装置を示すブロック図である。
【図１５】本発明の一部の実施形態に従い、発光器を組み合わせるための作動を示すフローチャートである。
【発明を実施するための形態】
【００２４】
以下、本発明の実施形態を示す添付図面を参照し、本発明の実施形態についてより詳細に説明する。しかしながら本発明は、多くの異なる形態で実施でき、本明細書に記載された実施形態だけに限定されるものと見なしてはならない。これら実施形態は、この開示が完全となり、かつ当業者に発明の範囲を完全に伝えるために、これら実施形態を記載したものである。同様の番号は、明細書全体にわたって同様の要素を示す。
【００２５】
本明細書では種々の要素を記述するために、第１、第２などの用語を使用することがあるが、これらの用語によってこれら要素を限定すべきでないことが理解できよう。これら用語は、ある要素を別の要素から区別するためにだけ使用したにすぎない。例えば本発明の範囲から逸脱することなく、第１要素を第２要素と称すことができ、逆に第１要素を第２要素と称すことができる。本明細書で使用する「および／または」なる用語は、リストに記載される関連するアイテムの１つ以上の任意の、およびすべての組み合わせを含む。
【００２６】
１つの要素、例えば層、領域または基板が別の要素の「上」に存在するか、または別の要素の「上まで」延びると記載されているとき、この要素は他の要素の上に直接存在していてもよいし、他の要素まで直接延びていてもよいし、または介在する要素が存在していてもよい。これと対照的に、ある要素が別の要素の「直接上に」存在するか、または別の要素「まで直接」延びると記載されているときには、介在要素は存在しない。ある要素が別の要素に「接続」または「結合」されていると記載されているとき、この要素は他の要素に直接接続または結合できるか、介在要素が存在していてもよい。これと対照的に、ある要素が別の要素に「直接的に接続」または「直接結合」されていると記載されているときは、介在要素は存在しない。
【００２７】
図に示されるように、ある要素、層または領域の、別の要素、層または領域に対する関係を記載するのに、本明細書では相対的な用語、例えば「下方」、「上方」、「上部」、「下部」、「水平」または「垂直」なる用語を使用できる。これら用語は、図に示されている配向の他に、デバイスの異なる配向も含むものであることが理解できよう。
【００２８】
本明細書で使用する用語は、特定の実施形態だけを記載するためのものであり、発明を限定するためのものではない。本明細書で使用する単一形態である「１つの」、「ある」、「この」、および「その」なる用語は、文脈が特に明瞭に示さない限り、複数の形態も含むものである。更に、「備える」、「含む」、「有する」および／または「具備する」なる用語は、本明細書で使用されるとき、記述される特徴、整数、ステップ、作動、要素および／またはコンポーネントが存在することを特定するが、１つ以上の他の特徴、整数、ステップ、作動、要素、コンポーネントおよび／またはそれらの群が存在すること、またはこれらが追加されることを排除するものではない。
【００２９】
特に定義しない限り、（科学技術用語を含む）本明細書で使用するすべての用語は、本発明が属す技術の当業者により、共通に理解される意味と同じ意味を有する。本明細書で使用する用語は、本明細書の文脈における意味および対応する技術と一貫した意味を有するものと解釈すべきであり、本明細書に特に明記しない限り、理想的な意味、または過度に形式的な意味として理解すべきでない。
【００３０】
以下、本発明の実施形態に係わる方法、システムおよびコンピュータプログラム製品のフローチャートおよび／またはブロックダイヤグラムを参照し、本発明について説明する。フローチャートおよび／またはブロックダイヤグラムの一部のブロック、およびフローチャートおよび／またはブロックダイヤグラム内の一部のブロックの組み合わせは、コンピュータプログラムの命令によって実現できることが理解できよう。これらコンピュータプログラムは、マイクロコントローラ、マイクロプロセッサ、デジタル信号プロセッサ（ＤＳＰ）、フィールドプログラマブルゲートアレイ（ＦＰＧＡ）、ステートマシン、プログラマブルロジックコントローラ（ＰＬＣ）または他の処理回路、汎用コンピュータ、特殊用コンピュータ、またはコンピュータもしくは他のプログラマブルデータ処理装置のうちのプロセッサによって実行される命令がフローチャートおよび／またはブロックダイヤグラムのブロック（単数または複数）で指定される機能／行為を実施するための手段を形成するようにマシンを製造するための、その他のプログラマブルデータ処理装置に記憶したり、またはこの処理装置で実施できる。
【００３１】
これらコンピュータプログラム命令は、コンピュータで読み取りできるメモリに記憶される命令がフローチャートおよび／またはブロックダイヤグラムのブロック（単数または複数）で指定される機能／行為を実施する命令手段を含む製造物品を生成するように、特定の態様で機能することをコンピュータまたは他のプログラマブルデータ処理装置に命令できるコンピュータで読み取り可能なメモリに記憶することもできる。
【００３２】
コンピュータプログラム命令は、コンピュータまたは他のプログラマブルデータ処理装置にロードし、コンピュータまたは他のプログラマブル装置で一連の作動ステップを実行させ、コンピュータで実行されるプロセスを生成させ、コンピュータまたは他のプログラマブル装置上で実行される命令がフローチャートおよび／またはブロックダイヤグラムのブロック（単数または複数）内で指定される機能／行為を実施するためのステップを提供するようにもできる。ブロック内に記載された機能／行為は、作動図に記載された順序と異なる順序で生成してもよいと理解すべきである。例えば順に示されている２つのブロックは、実際には実質的に同時に実行してもよいし、またはこれらブロックは、関係する機能／行為によっては、ときには逆の順序で実行してもよい。ダイヤグラムの一部は、通信の主な方向を示すために、通信の上に矢印を含むが、通信が図示した矢印と反対方向に生じてもよいと理解すべきである。
【００３３】
次に、図１を参照する。この図は、本発明の一部の実施形態に従ってグループ分けされた複数の発光器１２０を含むデバイス１００を示す正面切り欠き図の略図である。一部の実施形態では、デバイス１００は１つ以上の照明アセンブリ１１０を使用するディスプレイ１０２を含むことができる。図１の切り欠き図に示されるように、通常、正面図から照明アセンブリ１１０の図示されている部分を隠すようなディスプレイ１０２および／または照明アセンブリ１１０の部分は、図示しない場合がある。照明アセンブリ１１０は、複数の発光器１２０を含むことができ、一部の実施形態では、照明アセンブリ１１０は、図１に示されるようにエッジ照明アセンブリとすることができる。一部の実施形態では、デバイス１００は、ディスプレイのバックライト以外の用途で複数の発光器１２０を使用することができる。
【００３４】
次に図２を参照する。この図は、本発明の一部の実施形態に係わる図１に示された照明アセンブリ１１０を示す略図である。照明アセンブリ１１０は、複数の発光器１２０を含み、これら発光器１２０は、発光器１２０の交互に配置された２つのグループの組み合わされた色度および光度の値に応じてグループ分けされている。図２に示されるように、発光器１２０の交互に配置された２つのグループは、グループＡおよびグループＢと表示されている。発光器１２０は、異性ペア１２２Ａ〜１２２Ｄと称されるペア１２２にグループ分けされている。異性ペア１２２Ａ〜１２２Ｄの発光器１２０の色度は、異性ペア１２２Ａ〜１２２Ｄの発光器１２０の各々に対する光を混合することによって生成する組み合わされた光が所望する色度を有する光を含むことができるように選択できる。このように、実質的に白色でない光源で組み合わされた光源の知覚されるカラーは、組み合わせ上の見かけ上の色度に基づき、白色となり得る。一部の実施形態では、光を混合することによって生成された組み合わせ光が、所望する光度レベルで発光された光を含むように異性ペア１２２Ａ〜１２２Ｄの発光器１２０の光度を、選択できる。
【００３５】
例えば図３を簡単に参照する。この図３は、本発明の一部の実施形態に従い、同様の色度座標を有する発光器の複数のグループに対応する複数の領域１４６Ａ〜１４６Ｄを示す色空間の色度図となっている。多軸色空間は、図３に示されるような、１９７６ＣＩＥ色度空間でもよいし、または本明細書でこれまで説明した１９３１ＣＩＥ色度空間を含んでもよい。図３に示されるように、色空間１４０は、色空間内の任意のポイントを、座標のペア（ｕ’、ｖ’）として表記できるように、ｕ’軸１４４およびｖ’軸１４２に関連して定義できる。異性ペア１２２Ａ〜１２２Ｄからの組み合わされた光は、所望するカラー領域１４８内に存在できる。例えば図２からのグループＡおよびグループＢの発光器１２０は、それぞれ発光器グループ領域１４６Ｃおよび１４６Ｂからの発光器を含むことができる。このように、所望する色度領域１４８からほぼ等距離にあるか、または所望する色度領域からほぼ等距離にある発光器グループの領域１４６Ａ〜１４６Ｄ内の実際の色度ポイントに基づき、発光器ＡとＢの隣接するペアを選択できる。
【００３６】
発光器１２０をグループ分けする際に、色度の他に光度も検討できる。例えば次に、本発明の一部の実施形態に係わる、光度の収納部の値を示す表である図４を参照する。発光器１２０は、複数の光度レンジを使用する光度に従って発光器１２０をグループ分けしてよい。例えばＶ１、Ｖ２およびＶ３と識別された３つの光度収納部は、それぞれレンジ１６００ｍｃｄ〜１７００ｍｃｄ、１７００ｍｃｄ〜１８１０ｍｃｄ、および１８１０ｍｃｄ〜１９３０ｍｃｄに対応できる。このように、発光器グループは、特定の光度において、特定の発光器グループの領域として定めることができる。例えば、図３および４によれば、発光器グループは発光器グループ領域１４６Ｃに対応する色度および光度Ｖ２を有するすべての発光器１２０を含むことができる。このように、多軸色空間内の複数の発光器グループの領域および複数の光度レンジに対応する複数の収納部の一部の組み合わされた色度に応じて発光器１２０をグループ分けできる。
【００３７】
次に、図５を参照する。この図５は、本発明の一部の実施形態に係わる複数の発光器グループ領域および所望するカラー領域を示す色空間の色度図である。１９３１ＣＩＥ色空間２６０の一部は、ｘ軸２６４およびｙ軸２６２を含む。発光器１２０は、この発光器から生成される色の色度に従い、複数の発光器グループの領域２６８に分類できる。一部の実施形態では、発光器グループ領域２６８は、一般に白色であると見なされる領域内にある色空間部分２６６に対応できる。所望するカラー領域２７０は、設計仕様および／または特定の用途に従って指定される色空間２６０の領域を含むことができる。一部の実施形態では、色度座標に換算して所望するカラー領域２７０を表記できる。一部の実施形態は、グループの発光器領域および／またはカラーの収納部に関して、所望するカラー領域２７０を定義できるようにしている。一部の実施形態では、発光器グループ領域２６８のうちの各々内の個々の発光器内のばらつきに起因し、公差カラー領域２７２は、所望するカラー領域２７０よりも広くなり得る。
【００３８】
一部の実施形態では発光器グループの領域２６８の各々は、色度値の関数として決定できる中心ポイントを含むことができる。一部の実施形態は、各収納部の内部において、光度に対応する発光器を更にグループ分けできることを規定している。これに関し、収納部の各々を、例えばｘ、ｙおよびＹに換算して表記できるので、収納部の各々の色度を中心ポイントのｘ、ｙ座標として表記し、光度をＹとして表記できる。
【００３９】
２つの収納部に対応する色度の中心ポイントの値および光度の中心ポイントの値を使って、２つの収納部からの発光器に対応する組み合わされた色度を決定できる。例えば２つの収納部、すなわち収納部１および収納部２を混合するための組み合わされた色度の成分の値を次のように計算できる。
【数１】
0005395162.tif 000002
ここで、ｘ１およびｙ１は、収納部１の色度の中心ポイントの値であり、ｘ２およびｙ２は、収納部２の色度の中心ポイントの値である。収納部１および２の中心ポイントの光度の値Ｙ１およびＹ２をそれぞれ組み合わされた色度の成分の値に組み入れるのに、中間値ｍ１およびｍ２を使用することができ、これら中間値を次のように決定できる。
【数２】
0005395162.tif 000003
【００４０】
一部の実施形態では、収納部１と収納部２との組み合わせに対応する組み合わされた光度を次のように決定できる。
【数３】
0005395162.tif 000004
一部の実施形態では、指定されたレンジより低い光度を生成する組み合わせを廃棄できる。一部の実施形態では、組み合わされた光度は必ず指定されたレンジ内となるように、収納部の光度の値が定められる。例えば収納部の最低光度はＶ１であり、指定されたレンジがＶ１の光度を含む場合、すべての組み合わせは必ず指定されたレンジ内に位置する。本明細書は、特に２つの収納部の組み合わせを解決するものであるが、本発明はこのように限定されるものではない。例えば本明細書に開示した方法、デバイスおよび装置に従い、３つ以上の収納部を含む組み合わせを使用することもできる。
【００４１】
光度に基づく組み合わせをフィルタにかけた後に、必要であれば、２つの収納部の各組み合わせの組み合わされた色度を、所望するカラー領域２７０と比較し、どちらの組み合わせを廃棄するかを決定できる。例えば組み合わされたある色度が発光器グループの領域Ａ３内に位置している場合、この組み合わせを廃棄することができる。このように、これら収納部の対応するものから発光器１２０を選択する際に十分な光度および色度を提供する組み合わせを検討することができる。
【００４２】
一部の実施形態では、例えば所望するカラー領域２７０への近接度に基づき、複数の収納部の優先度を決定できる。例えば所望するカラー領域にあまり近くない収納部に対して、所望するカラー領域により近い収納部より高い優先度を割り当てることができる。このように発光器グループの領域Ｃ３内に中心ポイントを有する収納部よりも発光器グループの領域Ａ９内に中心ポイントを有する収納部のほうに、より高い優先度を割り当てることができる。一部の実施形態では、収納部の優先度に従って組み合わされた中心ポイントの優先度を決定できる。
【００４３】
一部の実施形態は、所望するカラー領域２７０内のターゲットとする色度ポイントに対する組み合わせの中心ポイントのロケーションに基づき、組み合わせの中心ポイントの優先度を決定するようにしている。一部の実施形態では、所望するカラー領域の幾何学的形状、例えば所望するカラー領域２７０の中心および／または他の焦点に基づき、ターゲットとする色度を決定してもよい。一部の実施形態では、複数の収納部にグループ分けされる発光器のバッチまたはストックから発光器１２０を選択し、ターゲットとする色度ポイントをストックの発光器の色度および／または光度のデータに相関化させてもよい。
【００４４】
次に図６を参照する。この図６は、本発明の一部の実施形態に係わるストックの中心ポイントを使用する組み合わせ優先度の決定を示す色空間の色度図である。図５を参照してこれまで説明したように、１９３１ＣＩＥ色空間２６０の一部は、複数の発光器グループの領域２６８を定めるための座標を提供できるｘ軸２６４とｙ軸２６２とを含む。所望するカラー領域２７０を定め、ターゲット色度ポイント２８０を決定できる。図５を参照してこれまで説明したように、発光器ストックの色度および／または光度データによってターゲットとする色度ポイント２８０を決定できる。
【００４５】
一部の実施形態では、ターゲットとする色度ポイント２８０は、発光器１２０のストックの集合色度および光度として決定できるストックの中心ポイントに対応できる。一部の実施形態では、前に計算された収納部の中心ポイントからストックの中心ポイントを決定できる。例えばｉ個の発光器グループの領域にグループ分けされ、ｊ個の光度レンジを有するストックに対し、ストックの中心ポイントの座標値を次の式によって決定できる。
【数４】
0005395162.tif 000005
ここで、ｘおよびｙは、ｉ個の発光器グループの領域に対する発光器グループの領域の中心ポイントであり、中間変数ｍｉは、光度を含むことができ、次のように決定できる。
【数５】
0005395162.tif 000006
ここで、ｎｉｊは、色度収納部ｉおよび光度収納部ｊ内の発光器の数である。一部の実施形態では、値Ｙｊは、それぞれの光度レンジに対応する最小光度値を示すことができる。このように、発光器ストックの収納部データ分布に対応する色度ターゲットポイント２８０を決定できる。一部の実施形態では、収納部の中心ポイントを使用することなく、同様なアプローチを使って、発光器ストック内の発光器の各々の色度データおよび／または光度データから直接ストックの中心ポイントを計算できる。
【００４６】
一部の実施形態では、収納部の優先度と独立して、組み合わされた中心ポイントの優先度を決定してもよい。例えば一部の実施形態は、ターゲットとする色度ポイント２８０からの距離に従って組み合わせの中心ポイントの優先度を決定してもよいとしている。組み合わされた中心ポイント（ｘ、ｙ）と、ターゲットとする色度ポイント（ｘ０、ｙ０）との距離を次の式によって決定できる。
【数６】
0005395162.tif 000007
【００４７】
一部の実施形態では、ターゲットとする色度ポイントと実質的に同心状であり、半径が大きくなる優先度の領域２８２Ａ〜２８２Ｄを使って組み合わせの中心ポイントの優先度を決定できる。このように第１優先度の領域２８２Ａ内の組み合わせの中心ポイントに対応するすべての組み合わせは、最高の優先度を有することにある。従って、最高優先度の次の優先度は、第２優先度領域２８２Ｂ内にある組み合わせの中心ポイントに対応する組み合わせに割り当てられる。特定の優先領域に対する距離条件を満たす他に、所望するカラー領域２７０の外にある組み合わせの中心ポイントは含まれない。その理由は、優先度決定をする際にこれら組み合わせを考慮しないからである。一部の実施形態では、優先度決定中および／または優先度決定前の別個の作動として、カラー領域外の組み合わせの中心ポイントを有する組み合わせを廃棄してよい。
【００４８】
次に図７を参照する。この図は、本発明の一部の実施例に係わるストック中心ポイントを使用する組み合わせの優先度決定を示す色空間の色度図である。一部の実施形態では、ターゲットとする色度ポイントは、実質的に四角形の幾何学的形状に構成された優先領域２９０Ａ〜２９０Ｄのための基準ポイントを提供できる。一部の実施形態は、優先領域２９０Ａ〜２９０Ｄが発光器グループの領域２６８のアスペクト比にほぼ同様したアスペクト比を含むと定めている。例えば発光器グループの領域２６８が実質的に２：１のアスペクト比を含み、軸２６４、２６２に対して特定の角度で配向している場合、優先領域２９０Ａ〜２９０Ｄは実質的に同じアスペクト比および／または配向角を含むことができる。このように優先領域２９０Ａ〜２９０Ｄを発光器のグループ分けに相関化することができる。
【００４９】
一部の実施形態は、発光器のストックに従ってアスペクト比を構成できるとしている。例えば本発明の一部の実施例に従い、ストックの中心ポイント２８０を使用する組み合わせ優先度の決定を示す色空間の色度図である図８を参照すると、優先領域２９６Ａ〜２９６Ｄは、発光器のストックの分布に対応するアスペクト比を含むことができる。例えば発光器のストックの分布は、一般に楕円分布の領域３０２によって表示できる。楕円分布領域３０２と境界をなす分布境界３００を生成できる。このように優先領域２９６Ａ〜２９６Ｄは、分布境界３００のアスペクト比に実質的に同様のアスペクト比を含むように構成できる。このように、優先領域２９６Ａ〜２９６Ｄを発光器のストックの分布に相関化することができる。
【００５０】
次に図９を参照する。この図は、多軸色空間および複数の光度レンジ内の複数の発光器グループの領域に対応する収納部内にグループ分けされる発光器の組み合わせを選択するための作動を示すブロック図である。これら作動は、各組み合わせが所望するカラーレンジに対応する色度値および指定された光度レンジに対応する光度値を含むよう、少なくとも２つの収納部から発光器の複数の組み合わせの優先度を決定するステップを含む（ブロック１８０）。一部の実施形態では、収納部のうちの１つの特性に基づき、発光器の組み合わせの優先度を決定する。例えば一部の実施形態は収納部の優先度を決定し、組み合わせ内の収納部のうちの１つの優先度に対応して発光器の組み合わせの優先度を決定すると定めている。一部の実施形態では、収納部の優先度とは独立して、組み合わせの優先度を決定できる。
【００５１】
次に、図１０を参照する。この図は、本発明の一部の実施形態に従い、図９に示されるように、組み合わせの優先度を決定するための作動を示すブロック図である。一部の実施形態では、優先度の決定は、発光器のストックに対応する発光器のストックの色度を推定するステップを含むことができる（ブロック１８２）。例えば図６を参照してこれまで説明したように、色度座標を含むストックの中心ポイントを決定できる。一部の実施形態では、優先度の決定は発光器のストックの色度を実質的に中心とする複数のターゲット領域に対応する組み合わせのランクを決定するステップを含むことができる。例えばより小さいターゲット領域またはより低い優先度の領域内の組み合わせを、より大きいターゲット領域またはより高い優先度の領域内の組み合わせよりも優先度リスト内で、より高いランクを決定できる。
【００５２】
次に図１１を参照する。この図は、本発明の一部の実施例に従い、複数の発光器の組み合わせを選択するための作動を示すブロック図である。これら作動は、色度および光度に対応する収納部内に発光器をグループ分けするステップを含む（ブロック２１０）。一部の実施形態では、光度は複数の光度レンジを含むことができる。一部の実施形態は、色度グループは多軸色空間内の複数のグループの発光器領域に対応できると定めている。一部の実施形態では、収納部の各々は、色度レンジのうちの１つと、発光器グループの領域のうちの１つとの異なる組み合わせに対応する。
【００５３】
発光器グループの領域の各々内の中心ポイントに対する色度を決定できる（ブロック２１２）。これら色度は特定の多軸色空間に対応する複数の色度成分値を含むことができる。例えばＣＩＥ１９３１色空間内では、ｘ、ｙの値として色度成分の値を表記できる。所望するカラー領域を定めることができる（ブロック２１４）。所望するカラー領域をアプリケーション固有の領域として定めてもよく、および／または発光器のストック内の色度データおよび／または光度データの分布の関数として、所望するカラー領域を定めてもよい。
【００５４】
Ｎが組み合わせの中心ポイントの各々を推定するように組み合わされた収納部の数を定めるよう、Ｎ個の収納部の組み合わせの各々に対する組み合わせの中心ポイントに対応する組み合わされた色度を推定する（ブロック２１６）。このように、収納部の各組み合わせに対する組み合わされた色度を決定できる。Ｎ個の収納部の組み合わせの各々に対する組み合わせの中心ポイントに対応する組み合わされた光度を推定する（ブロック２１８）。
【００５５】
組み合わせの中心ポイントの各々に対する組み合わされた色度と所望するカラー領域とを比較する（ブロック２２０）。一部の実施形態では、所望するカラー領域内にない組み合わせの中心ポイントの一致しないものを廃棄する。所望するカラー領域内にある組み合わせを所望するカラー領域との比較に基づいて選択できる（ブロック２２２）。
【００５６】
一部の実施形態は、組み合わせの中心ポイントの各々の組み合わされた光度と指定された光度レンジとを比較するステップを含む。これに関し、光度の比較に基づき、発光器の組み合わせを選択できる。一部の実施形態では、組み合わせの中心ポイントの一致しないポイントが、指定された光度レンジ内に存在しない場合、これらポイントを廃棄してよい。
【００５７】
一部の実施形態は、所望するカラー領域内にあるターゲットとする色度ポイントと実質的に異なる中心ポイントを含む収納部の部分を識別するステップを含むことができる。一部の実施形態では、ターゲットとする色度ポイントと実質的に異なる中心ポイントを有する収納部が、より高いランクになるように、ターゲットとする色度ポイントへの近接度に従って収納部のランクを決定できる。
【００５８】
一部の実施形態では、内部に含まれる収納部の対応する１つずつの関数として組み合わせの中心ポイントの優先度を決定できる。例えば高い優先度を有し、および／または収納部を一致させることが困難な組み合わせの中心ポイントに対し、収納部を一致させることがより容易な他の組み合わせの中心ポイントよりも高い優先度を割り当てることができる。一部の実施形態では、組み合わせの中心ポイント内の収納部の中心ポイントとターゲットする色度ポイントとの間の差に従って組み合わせの中心ポイントの優先度を決定できる。一部の実施形態では、組み合わせの中心ポイントの１つずつとターゲットとする色度ポイントとの差に従って、組み合わせの中心ポイントの優先度を決定できる。一部の実施形態は、アプリケーションで指定できるデザイン仕様に応じて、ターゲットとする色度ポイントを推定できることを定めている。一部の実施形態では、発光器のストックに対応するストックの中心ポイントとして、ターゲットとする色度ポイントを推定できる。
【００５９】
次に図１２および１３を参照する。これら図は、本発明の一部の実施形態に係わる収納部利用優先度および組み合わせの優先度をそれぞれ示す表である。図１２を参照すると、一部の実施形態は、組み合わせの優先度を決定するのに、収納部利用優先度を使用できると定めている。例えば一致の困難度に従い、および／または発光器のストックの色度および／または光度の分布データに基づき、収納部に優先度を割り当ててもよい。図１３を参照すると、組み合わせに対する優先度を決定し、番号を付けることができる。組み合わせ内の各収納部の色度および光度と共に、各組み合わせをリストに記載できる。更に、色度の中心ポイントｘ、ｙの座標および組み合わされた光度だけでなく、組み合わせの座標に対応する収納部の識別子も提供できる。
【００６０】
次に図１４を参照する。この図は、本発明の一部の実施形態に従い、多軸色空間および光度レンジ内の発光器グループの領域に従ってグループ分けされた発光器を組み合わせるための装置３２０を示すブロック図である。この装置３２０は、所望するカラー領域内に組み合わされた中心ポイントを含む収納部のうちの少なくとも２つの組み合わせのリストを生成するように構成された組み合わせモジュール３２４を含むことができる。一部の実施形態では、組み合わせモジュール３２４は、組み合わせのリストと所望するカラー領域とを比較し、所望するカラー領域外の組み合わせの中心ポイントを含む組み合わせを廃棄できる。
【００６１】
収納部に対応する優先度のリストを生成するように、優先度決定モジュール３２６が構成されている。一部の実施形態では、この優先度決定モジュール３２６は、まず最初に収納部のどれを選択するかを識別するために、収納部の優先度を決定するように構成される。一部の実施形態では、所望数カラー領域は、ターゲットとする色度ポイントを含み、優先度決定モジュールは色度ターゲットポイントに対する組み合わされた中心ポイントに基づき、組み合わせの優先度を決定するように構成される。一部の実施形態では、色度ターゲットポイントは、発光器のストックに対応する集合値を含む。発光器を組み合わせるのに使用される収納部の部分を選択するように、選択モジュール３２８が構成される。
【００６２】
次に、図１５を参照する。この図は、本発明の一部の実施形態に従って発光器を組み合わせるための作動を示すフローチャートである。発光器のストック収納部データが処理デバイスのメモリにロードされる（ブロック３４０）。ストックの色度が計算され（ブロック３４２）、ストックの色度に対する組み合わせの優先度が決定される（ブロック３４４）。次に、メモリ内に優先度のリストに対応する収納部の組み合わせがロードされ（ブロック３４６）、組み合わせのカウンターが初期化される（ブロック３４８）。
【００６３】
第１の組み合わせに対応する収納部が識別され（ブロック３５０）、収納部のストックがチェックされる（ブロック３５２）。識別された収納部が単一デバイスまたはサブバッチで必要とされる組み合わせの数に対する十分なストックを有していない場合、組み合わせのカウンターが指標化される（ブロック３５４）。収納部が十分なストックを有している場合、組み合わせが記録される（ブロック３５６）。組み合わせ情報は、収納部の識別子および各収納部から必要とされる量を含むことができる。この収納部のストックは、組み合わせで使用される発光器の利用を示すように調節され（ブロック３５８）、組み合わせのカウンターが指標化される（ブロック３５４）。
【００６４】
組み合わせカウンターが指標化された後に、すべての組み合わせが収納部に収容されたかどうかが判断される（ブロック３６０）。すべての組み合わせが収納部に収容された場合、利用リストがプリントされ（ブロック３６２）、プロセスが終了する。すべての組み合わせが収納部に収納されているとは言えない場合、優先度テーブルから次の組み合わせに対する収納部が識別され（ブロック３５０）、すべての組み合わせが収納部に収納されるまでプロセスが続く。
【００６５】
図面および明細書において、以上で本発明の代表的な実施形態について開示した。特定の用語を用いたが、これら用語は包括的で、かつ記述のためにのみ使用したにすぎず、発明を限定するために使用したものではなく、発明の範囲は特許請求の範囲に記載されている。
【図１】
0005395162.tif 000008
【図２】
0005395162.tif 000009
【図３】
0005395162.tif 000010
【図４】
0005395162.tif 000011
【図５】
0005395162.tif 000012
【図６】
0005395162.tif 000013
【図７】
0005395162.tif 000014
【図８】
0005395162.tif 000015
【図９】
0005395162.tif 000016
【図１０】
0005395162.tif 000017
【図１１】
0005395162.tif 000018
【図１２】
0005395162.tif 000019
【図１３】
0005395162.tif 000020
【図１４】
0005395162.tif 000021
【図１５】
0005395162.tif 000022